(57)【要約】【課題】  鼻緒付履物について、簡易な構成を用いて鼻緒の交換作業を短時間で容易に実施できるようにする。【解決手段】  鼻緒３Ａのフロント部先端およびリア部両後端に係止構造を備え、これらを基台２Ａ上面の前部および後部に配置された固定部材の係止部とそれぞれ係合させて基台２Ａに鼻緒を固定するものであって、フロント部先端の係止構造をループ状の係止紐１４ａとし、これと係合する固定部材を鋼線を屈曲して形成され基部４０と係止部４１Ａとを備えた固定金具４Ａとして取付け孔２ａ裏側開口部に配設するものとして、その係止部４１Ａが係止紐１４ａの取付け孔２ａ挿通方向に対し略直角方向とされて係止紐１４ａと脱着可能に係合し、基部４０が取付け孔２ａ裏側開口部周辺に当接してフロント部の引き抜き動作に抗するものとして、基台２Ａにフロント部先端が固定されるものとする。【選択図】      図１
0003109268.tif 000002
【実用新案登録請求の範囲】
【請求項１】
鼻緒のフロント部先端およびリア部両後端に係止構造を備え、該三つの係止構造を基台上面の前部および後部に配置された固定部材の係止部とそれぞれ係合させて前記基台に鼻緒を取り付けるものとした鼻緒付履物であって、
前記フロント部先端の係止構造と係合する固定部材が、基部と係止部とを備えた固定金具であり取付け孔裏側開口部に配設され、前記係止部が前記係止構造と脱着可能に係合するとともに前記基部が前記取付け孔裏側開口部周辺に当接して前記フロント部先端の引き抜き動作に抗するものとして、前記基台に前記フロント部先端が固定される鼻緒付履物において、
前記フロント部先端の係止構造はループ状とされており、該係止構造と係合する前記固定金具は鋼線を屈曲して形成されたものであり、前記取付け孔に挿通した前記係止構造が挿通方向に対し略直角方向とされた前記固定金具の係止部と係合している、ことを特徴とする鼻緒付履物。
【請求項２】
請求項１に記載した鼻緒付履物において、前記フロント部先端の係止構造は該鼻緒フロント部先端から下方に延設された紐状部材上の長さ方向に複数配置されたループであり、前記固定金具と係合させる前記ループを変えることで鼻緒フロント部の高さを変更可能としたことを特徴とする鼻緒付履物。
【請求項３】
請求項１または２に記載した鼻緒付履物において、前記固定金具はヘアピン形状を呈してその略中間部を係止部とするとともに両端側を基部としていることを特徴とする鼻緒付履物。
【請求項４】
前記固定金具は係止部が逆Ｕ字状に上方に湾曲され該係止部を前記取付け孔内に挿入して配設されることを特徴とする請求項１，２または３に記載した鼻緒付履物。
【請求項５】
鼻緒のフロント部先端およびリア部両後端に係止構造を備え、該三つの係止構造を基台上面の前部および後部に配置された固定部材の係止部とそれぞれ係合させて前記基台に鼻緒を取り付けるものとした鼻緒付履物であって、
前記フロント部先端の係止構造と係合する固定部材が、基部と係止部とを備えた固定金具であって取付け孔裏側開口部に配設され、前記係止部が前記係止構造と脱着可能に係合するとともに前記基部が前記取付け孔裏側開口部周辺に当接して前記フロント部先端の引き抜き動作に抗するものとして、前記基台に前記フロント部先端が固定される鼻緒付履物において、
前記フロント部先端の係止構造は鈎状構造を有した係止金具であり、該係止金具と係合する固定金具は、係止部がブリッジ状に上方に延設されて前記取付け孔裏側から表側に突出して配置されたものであり、前記係止金具の鈎状構造が前記固定金具の係止部に掛けられて前記フロント部先端を前記基台に固定している、ことを特徴とする鼻緒付履物。
【請求項６】
前記リア部後端の両係止構造は鈎状構造を有した係止金具であり、該両係止金具に係合する前記固定部材は基部と係止部とを備えた固定金具であって、前記係止部がブリッジ状に上方に延設されて前記取付け孔裏側からそれぞれ表側に突出して配置されたものであり、前記両係止金具の鈎状構造を前記固定金具の両係止部に掛けて前記リア部後端を前記基台に固定している、
ことを特徴とする請求項１，２，３，４または５に記載した鼻緒付履物。
【請求項７】
前記リア部後端の両係止構造はループ状とされ、該両係止構造と係合する前記固定金具は鋼線をハンガー状に屈曲してなりその両端側で前記両係止構造と係合するものであり、前記両係止構造を前記基台後部の取付け孔に表側からそれぞれ挿通し裏側で前記固定金具と係合させて前記リア部後端を前記基台に固定するものとされている、ことを特徴とする請求項１，２，３，４または５に記載した鼻緒付履物。
【請求項８】
前記リア部後端の両係止構造は一組の短冊状の面状ファスナとされ、前記基台後部に穿設した両取付け孔に表側からそれぞれ挿通し裏側で互いに接着して前記鼻緒リア部後端を前記基台に固定するものとされている、ことを特徴とする請求項１，２，３，４または５に記載した鼻緒付履物。
【考案の詳細な説明】
【技術分野】
【０００１】
本考案は、基台上面に鼻緒が設けられた草履や下駄等の鼻緒付履物に関し、殊に鼻緒の交換を容易にした鼻緒付履物に関する。  
【背景技術】
【０００２】
従来、鼻緒付履物において鼻緒の交換作業には専門的な技術を必要とし、鼻緒付履物を購入したユーザが自分で鼻緒の交換を行うことは極めて困難であった。そのため、鼻緒の一部が切れたり鼻緒の長さが足に合わなくなったり、或いは摩耗して美観を損ねたりした場合には、熟練した職人に鼻緒の交換を依頼するのが通常であり、交換のために時間および費用を要していた。
【０００３】
また、例えば女性向けの和装用草履においては、目を引きやすい鼻緒部分がデザイン上のポイントになりやすく、季節や天候、或いは訪問場所によって異なるデザインの鼻緒を選択したいというニーズが強い。ところが、一般的な家庭では保管場所や予算の関係から、ＴＰＯに合わせて多種多様な草履を保持しておくことは実際上困難である。
【０００４】
この問題に対し、登録実用新案３０５５８６５号公報および特開平１１―１６４７０９号公報には、足を載せる基台前部に設けられた取付け孔にネジ状部を設けた鼻緒フロント部（前緒）先端を挿通して草履裏側に配設したナット部材に螺合させることでこれを固定し、基台後部に穿設した二つの取付け孔または取付け溝に係止構造を設けた鼻緒リア部後端を挿通して基台裏側に設けた固定部材の両端に係止させ、鼻緒を固定するものとした鼻緒付履物が提案されている。
【０００５】
このような構造としたことで、鼻緒を基台に固定する作業において熟練を必要とせずにユーザが自分で鼻緒の交換を実施できるものとし、しかも鼻緒の長さおよびフロント部の高さを調整可能とした。しかし、これらの鼻緒付履物は、鼻緒が切れたり破損したりした場合にこれを交換できるようにすることのみを想定したものであり、例えばＴＰＯに合わせて異なるデザインの鼻緒を選択し手軽に短時間で鼻緒を交換することを想定したものではない。
【０００６】
殊に、フロント部の脱着においては基台裏側でナット部材を多数回転させてネジ状部を脱着する必要があり専用工具が必要となるため、例えば出掛ける直前に使用する鼻緒を決めた場合にその交換に手間と時間を要してしまい、ユーザのニーズに応えることができない。また、このフロント部の取付け構造は構成が複雑であるため、製造コストが嵩むとともにサビや異物の侵入により脱着困難となる場合もある。
【特許文献１】登録実用新案３０５５８６５号公報
【特許文献２】特開平１１―１６４７０９号公報
【考案の開示】
【考案が解決しようとする課題】
【０００７】
本考案は、上記のような問題点を解決しようとするものであり、鼻緒付履物について、簡易な構成を用いて鼻緒の交換作業を短時間で容易に実施できるようにすることを課題とする。
【課題を解決するための手段】
【０００８】
そこで、本考案は、鼻緒のフロント部先端およびリア部両後端に係止構造を備え、これら三つの係止構造を基台上面の前部および後部に配置された固定部材の係止部とそれぞれ係合させて基台に鼻緒を取り付ける鼻緒付履物であって、フロント部先端の係止構造と係合する固定部材が、基部と係止部とを備えた固定金具であり取付け孔裏側開口部に配設され、その係止部が鼻緒の係止構造と脱着可能に係合するとともに基部が取付け孔裏側開口部周辺に当接してフロント部の引き抜き動作に抗するものとして、基台にフロント部先端が固定される鼻緒付履物において、フロント部先端の係止構造をループ状としこれと係合する固定金具を鋼線を屈曲して形成したものとして、取付け孔に挿通した係止構造がその挿通方向に対し略直角方向とされた固定金具の係止部と係合するものとした。
【０００９】
このように、基台裏側から配設された固定金具の係止部に鼻緒のフロント部先端を脱着可能に係合させるようにし、鼻緒フロント部先端の係止構造および基台側の固定部材を簡易な構成として鼻緒の脱着作業を容易にすることができるが、フロント部先端の係止構造をループ状とし、固定金具を鋼線を屈曲して形成したものとしたことにより、固定金具の構成を極めて簡易なものとすることができるとともに、係止部にループ状の係止構造を挿脱するだけで着脱できるようになるため、フロント部先端の脱着作業が一層容易になって短時間で終了するものとなる。
【００１０】
また、この鼻緒付履物においてフロント部先端の係止構造をこれから下方に延設された紐状部材上の長さ方向に複数配置されたループとし、固定金具と係合させるループを変えることで鼻緒フロント部の高さを変更可能なものとすれば、鼻緒フロント部の脱着を容易にすることに加え高さ調整が極めて容易なものとなる。
【００１１】
そして、上述した鼻緒付履物において固定金具をヘアピン形状を呈してその略中間部を係止部とするとともに両端側を基部としたものとすれば、係止構造と係合させることが容易となる。さらに、上述した鼻緒付履物において鋼線からなる固定金具の係止部を逆Ｕ字状に上方に湾曲させて取付け孔内に挿入して配設するものとすれば、この上方に湾曲した分だけ鼻緒フロント部の高さを高くすることができるため、これを係止部が直線状のものに加えて用意しておくことで鼻緒のフロント部の高さ調整が同様に容易なものとなる。
【００１２】
一方、鼻緒フロント部先端の係止構造をループ状とする代わりに、鈎状構造を有した係止金具とし、これと係合する固定金具の係止部がブリッジ状に上方に延設されたものとして取付け孔裏側から表側に突出して配置され、係止金具の鈎状構造を固定金具の係止部に掛けてフロント部先端を基台に脱着可能に固定するものとすれば、基台表側から鼻緒フロント部を脱着できるようになってさらに交換作業が容易なものとなる。そして、この履物前部の鼻緒の係止構造および基台の固定部材を上述した鼻緒付履物の履物後部においても同様に設ければ、鼻緒全体としても脱着作業が極めて容易なものとなる。
【００１３】
さらにまた、上述した鼻緒付履物において履物後部に前述の鈎状構造を有した係止金具を用いない構成として、鼻緒リア部後端の両係止構造をループ状とするとともにこれと係合する固定金具を鋼線をハンガー状に屈曲して形成されその両端側で両係止構造と係合するものとして、両係止構造を基台後部の取付け孔に挿通し基台裏側で固定金具と係合させて鼻緒リア部後端を固定するものとすれば、リア部の脱着作業が極めて容易なものとなり、この固定金具を用いる代わりに締結バンド用いて両係止構造を連結・固定するものとすれば製作コストを一層低廉なものとすることができる。
【００１４】
またこれと異なり、リア部後端の係止構造を一組の短冊状の面状ファスナとし、基台後部に穿設した両取付け孔に表側からそれぞれ挿通して裏側で互いに接着してリア部を基台に固定するものとすれば、脱着作業が容易となることに加えて鼻緒の長さ調節が極めて容易なものとなる。
【考案の効果】
【００１５】
上述のように簡易な構成とした本考案により、専門的な技術を要することなく鼻緒の交換作業を短時間で容易に実施することができるものである。
【考案を実施するための最良の形態】
【００１６】
図面を参照して本考案を実施するための最良の形態を説明すると、図１は本考案における第一の実施の形態の鼻緒付履物１Ａを示しており、図１（Ａ）は上面側から見た分解斜視図を示し、図１（Ｂ）は底面側から見た斜視図を示している。
【００１７】
図１（Ａ）を参照して、鼻緒付履物１Ａは基台２Ａと鼻緒３Ａ、および鼻緒３Ａを基台２Ａ側に固定するための固定金具４Ａ，５Ａから構成される和装用の草履である。基台２Ａは、木材や紙等で形成された軽量且つ堅牢な部材からなり、表面を布などで被覆されている。そして、その上面前部略中央位置および後部両側端寄りの三箇所に鼻緒３Ａを取り付けるための取付け孔２ａ，２ｂ，２ｃが穿設されている。
【００１８】
一方、鼻緒３Ａは鼻緒本体１１と前緒１２とからなり、前緒１２は鼻緒フロント部を構成し、鼻緒本体１１後部側は鼻緒リア部を構成する。そして、前緒１２先端および鼻緒本体１１後端には、内部を挿通された紐部材が露出してループ状に形成された係止構造としての係止紐１４ａ，１４ｂ，１４ｃが設けられており、その各基端側をチューブ１５ａ，１５ｂ，１５ｃで覆われている。そして、これら係止紐１４ａ，１４ｂ，１４ｃを基台２Ａ表側から取付け孔２ａ，２ｂ，２ｃに挿通して、裏側で固定金具４Ａ，５Ａと係合させて鼻緒３Ａを基台２Ａに固定するものである。
【００１９】
鼻緒３Ａを基台２Ａに固定した状態で裏側から見た斜視図を示す図１（Ｂ）を参照して、基台２Ａの裏面には皮革等の柔軟性に富む底材２０が貼設されており、その前部の一部分および後部の一部分が略方形に開く舌片２１，２２を形成している。そして、舌片２１を開いて露出される開放部２４は、取付け孔２ａ裏側開口部側に固定部材室２４ａを形成し、舌片２２を開いて露出される開放部２５には取付け孔２ｂ，２ｃ裏側開口部を拡大して一つに接続した固定部材室２５ａが形成されており、それぞれ係止紐１４ａと係合した固定金具４Ａ、および係止紐１４ｂ，１４ｃと係合した固定金具５Ａが収装されている。
【００２０】
鼻緒フロント部先端の係止紐１４ａを基台２Ａに固定する手順を示す図２を参照しながら、本実施の形態の特徴部分を説明する。先ず、基台２Ａの裏側において舌片２１を開いて固定金具４Ａを外し古い鼻緒を取り外した状態にしておき、鈎付針金５０を取付け孔２ａの裏側から挿通し、表側で係止紐１４ａに掛けて裏側まで引き出す（図２（Ａ））。
【００２１】
そして、固定金具４Ａは鋼線を略方形に屈曲して形成された基部４０およびその中央部を鋼線端部側で渡してなる係止部４１Ａとからなり、その鋼線端末側から係止紐１４ａ挿通して係止部４１Ａに掛け（図２（Ｂ））、前緒１２を表側から引くことで基部４０が固定部材室２４ａの頂壁に当接・停止して収装され（図２（Ｃ））、最後に舌片２１を閉じてから止め金具９０で舌片２１固定する（図２（Ｄ））。
【００２２】
斯かる鋼線を屈曲しただけの簡易な構成の固定金具４Ａおよびループ状の係止紐１４ａを用いたことで、基台２Ａ裏側において高度な技術を要することなく誰でも鼻緒３Ａのフロント部を容易に脱着することができる。従って、職人に依頼しなくてもユーザが自分で鼻緒を交換できるものであり、加えて、従来は時間と手間を要した鼻緒フロント部の脱着作業の負担を大きく軽減したことにより、出掛ける直前でも使用する鼻緒を選択して交換することが可能となった。
【００２３】
鼻緒３Ａリア部後端の係止紐１４ｂ，１４ｃを基台２Ａに固定する手順を示す図３を参照して、この場合においても、図２の係止紐１４ａの取り付け手順と同様に古い鼻緒の係止紐は外しておき、鈎付針金５０を取付け孔２ｂ，２ｃの裏側開口部から挿通し、表側で係止紐１４ｂ，１４ｃに掛けて裏側まで引き出す（図２（Ａ））。
【００２４】
そして、鋼線の両端部をループ状に屈曲して略ハンガー状とした固定部材５Ａの鋼線端末側から係止紐１４ｂ，１４ｃを挿通して係合させ（図２（Ｂ））、鼻緒リア部を表側から引くことで固定金具５Ａが固定部材室２５ａ頂壁に当接して収装され（図２（Ｃ））、最後に舌片２２を閉じて、止め金具９０，９０で舌片２２を固定する（図２（Ｄ））。このように、鼻緒リア部の基台２Ａへの脱着作業も極めて容易且つ短時間で終了するものであり、鼻緒３Ａ全体の脱着作業は短時間で終了する。
【００２５】
固定金具４Ａの詳細を示す図４（Ａ）を参照して、固定金具は鋼線を略方形に屈曲して基部４０を形成し、鋼線両端末側を基部４０の中央部を渡してなる二本の直線部分からなる係止部４１Ａ、および係止部４１Ａ末端側で下方に屈曲してなる屈曲部４２とからなる。そして、この固定金具４Ａに加えて調整用の固定金具４Ｂが用意されており、固定金具４Ａの係止部４１Ａを上方に逆Ｕ字状に湾曲させたものであって装着時に取付け孔２ａ内に挿入される係止部４１Ｂを備えている。この固定金具４Ｂと固定金具４Ａとの両方を用意しておくことで、固定金具４Ｂを用いた場合に上方に湾曲させた分だけ鼻緒フロント部の高さを高くすることができるため、鼻緒フロント部の高さ調整が容易なものとなる。
【００２６】
固定金具５Ａの詳細を示す図４（Ｂ）を参照して、固定金具５Ａは鋼線をハンガー状に屈曲させてその両末端部にループ形状を設けて係止部５１ａ，５１ｂを備えたものであり、その中間位置に固定部材室２５ａ内で安定させるために凸状に屈曲させた凸部５２を備えている。この係止部５１ａ，５１ｂに、表側から挿通され裏側に突出した係止紐１４ｂ，１４ｃを鋼線末端から通して係合させるようになっている。そして、この固定金具５Ａの他に係止部５１ａ，５１ｂの間隔を小さくしたものであって係止部５１ｃ，５１ｄを備えた調整用の固定金具５Ｂが用意されており、鼻緒本体１１の長さ調整を容易に実施できるようになっている。
【００２７】
尚、図５に示すように、鼻緒フロント部先端の係止構造を、前緒の心材である樹脂製で扁平な紐状部材を鼻緒フロント部先端から下方に延長しその長さ方向に連続して複数配置したループ４１０，４１１，４１２を有する係止紐１４ｄとし、固定金具を例えばヘアピン形状を呈してその略中間部を係止部４１Ｃとするとともに両端側を基部とした固定金具４Ｃとして、固定金具４Ｃを挿通して係合するループのうち挿入箇所を変えることで鼻緒フロント部の高さを変更できるようにすれば、鼻緒フロント部の脱着を容易にすることのみならず、その高さ調整を容易に実施できるようになる。尚、この係止紐４１ｄを取付け孔２ａに挿通する際において、その先端を挿入して裏側に突出させれば、これを指で摘んで引くだけで容易に挿通することができるため鈎付針金５０は必要としないものとなる。
【００２８】
図６（Ａ），（Ｂ）は、本実施の形態において鼻緒リア部を固定するための固定金具５Ａ，５Ｂの代わりに、締結バンド８０を用いた場合を示すものである。締結バンド８０を用いることで係止紐１４ｂ，１４ｃを係止して固定することに加え、締結バンド８０で形成されるリングの大きさを変えることにより鼻緒本体１１の長さを容易に調整できるようにしたものである。締結バンド８０は市販の一般的なものでよく、樹脂製のものでも金属製のものでもよいが、樹脂製の方が鋏などで簡単に切除することができて交換が容易であるとともに、製作コストを低く抑えやすいものとなる。
【００２９】
図７（Ａ），（Ｂ）は、本考案における第二の実施の形態を示しており、図１の鼻緒付履物１Ａにおける鼻緒リア部を固定するための係止紐１４ｂ，１４ｃおよび固定金具５Ａ，５Ｂの代わりに、一組の面状ファスナ３０を用いた鼻緒付履物１Ｂを示すものである。面状ファスナ３０は、例えば一方の接着面に多数のループ状繊維、他方の接着面に多数の鈎状繊維を配設した一般的なものであり、帯状に形成されて鼻緒リア部後端にそれぞれ設けられている。これを取付け孔２ｂ，２ｃの内径よりも小さな外径の筒状に丸めて挿通し、基台２Ａ裏側の固定部材室２５ａ内で互いに接着面を重ねて接着させることで、鼻緒リア部を基台２Ａに固定するものである。これにより、面状ファスナ３０の接着位置を変えるだけで上記同様に鼻緒本体１１の長さを容易に調整できるようになる。尚、接着して余った部分は鋏などで切除すれば邪魔にならない。
【００３０】
図８，９は本考案における第三の実施の形態である鼻緒付履物１Ｃを示しており、図８（Ａ）に示すように、鼻緒フロント部先端およびリア部後端の係止構造をループ状とする代わりに鈎状構造を有した係止金具１６ａ，１６ｂ，１６ｃとした鼻緒３Ｃを、固定金具６，７の係止部をブリッジ状として取付け孔２ｄ，２ｅ，２ｆの裏側から挿通して表側に突出させたものに、係止金具１６ａ，１６ｂ，１６ｃの鈎状構造を掛けて脱着可能に固定するものとしたものである。尚、係止金具１６ａ，１６ｂ，１６ｃはカシメ止め等の固定手段で鼻緒側に固定すればよい。
【００３１】
図８（Ａ）のＸ−Ｘ線に沿う断面図である図８（Ｂ）および図８（Ｃ）に示すように、固定金具６は、基部６０に対し略垂直に上方に延設されたブリッジ状の係止部６１を備えており、基部６０が基台２Ｂ前部の固定部材室２４ｂに配設されるとともに、係止部６１がスリット状に穿設された取付け孔２ｄから表側に突出されて、ネジ９１で固定されている。一方、固定金具７は短冊状の基部７０の両端側にこれに略垂直に上方に延設され上端側がブリッジ状を呈する係止部７１ａ，７１ｂを備えており、基部７０を基台２Ｂ後部に設けられた固定部材室２５ｂに配設するとともに係止部７１ａ，７１ｂをスリット状に穿設した取付け孔２ｅ，２ｆを挿通して表側に突出させて、ネジ９１，９１で固定される。
【００３２】
斯かる構成とされた鼻緒付履物１Ｃは、基台２Ｂ表面側から鼻緒フロント部およびリア部の脱着できるようになるため、上述した実施の形態において基台裏面の舌片２１，２２を開く手間を要していたのに対し、ワンタッチで手を汚す心配もなく一層容易に交換作業を実施できるものである。
【００３３】
図９は固定金具７に係止金具１６ｃを係止して固定する手順を示すものであり、係止金具１６ｃの鈎状部開放部分を外側に下側に向けて、固定金具７の係止部７１ｂに掛け、これを上方に引くことで係合して基台２Ｂ側に固定され、他の係止金具１６ａ,１６ｂも同様にして固定される。尚、係止金具１６ａ,１６ｂ，１６ｃは鈎状部開放部分が下向きなるまで倒さないと脱着可能な状態とならないことから、一度固定すれば容易に外れないようになっている。
【００３４】
図１０（Ａ），（Ｂ）は、本考案の第四，第五の実施の形態を示すものであり、上述した実施の形態の基台２Ａ，２Ｂを、取付け孔２ｇ，２ｈ，２ｉを穿設した下駄用の基台２Ｃとした鼻緒付履物１Ｄ，１Ｅを示している。図１０（Ａ）の鼻緒付履物１Ｄは、係止構造をループ状とした係止紐１４ａ,１４ｂ,１４ｃを備えた鼻緒３Ａと、基台側の固定部材を係止金具４Ａまたは４Ｂ、係止金具５Ａまたは５Ｂ、或いは締結バンド８０との組合せとしたものであり、上述と同様の作用・効果が期待できるものである。尚、この場合、基台２Ｃには二つの歯が突出しているので、基台２Ｃ裏面側に舌片および固定部材室を設けなくとも実施することができる。図１０（Ｂ）の鼻緒付履物１Ｅは、鼻緒リア部後端の係止構造を一組の面状ファスナ３０とした鼻緒３Ｂを用いたものであり、上述と同様の作用・効果が期待できる。
【００３５】
図１１は本考案の第六の実施の形態を示すものであり、スリット状に穿設した取付け孔２ｊ,２ｋ，２ｌを有する下駄用の基台２Ｄと、上述した鼻緒付履物１Ｃにおける鈎状部を有した係止金具１６ａ，１６ｂ，１６ｃを配設した鼻緒３Ｃ、および係止部をブリッジ状とした固定金具６，７との組合せとしたものであり、上述と同様の作用・効果が期待できるものである。
【００３６】
尚、本考案について草履および下駄において実施した場合を説明したが、本考案はこれに限らず雪駄やサンダルなど鼻緒付履物であれば総て適用できるものである。さらに、一つの鼻緒付履物においてループ状の係止紐および固定部材の組合せと、鈎状部を有する係止金具およびアーチ状の係止部を有する固定金具の組合せとを併用しても、上記同様の作用・効果が期待することができるものである。
【図面の簡単な説明】
【００３７】
【図１】（Ａ）は本考案の第一の実施の形態を示す分解斜視図、（Ｂ）は（Ａ）の鼻緒付履物を裏側から見た斜視図。
【図２】（Ａ），（Ｂ），（Ｃ），（Ｄ）は図１の鼻緒付履物のフロント部の取り付け手順を示す斜視図。
【図３】（Ａ），（Ｂ），（Ｃ），（Ｄ）は図１の鼻緒付履物のリア部の取り付け手順を示す斜視図。
【図４】（Ａ）は図２の固定金具の詳細を示す斜視図、（Ｂ）は図３の固定金具の詳細を示す斜視図。
【図５】異なる鼻緒フロント部の係止構造および固定部材を示す斜視図。
【図６】（Ａ），（Ｂ）は図３の固定金具の代わりに締結バンドを用いた場合を示す斜視図。
【図７】（Ａ）は本考案の第二の実施の形態を示す分解斜視図、（Ｂ）は（Ａ）の鼻緒付履物を裏側から見た斜視図。
【図８】（Ａ）は本考案の第三の実施の形態を示す分解斜視図、（Ｂ）は（Ａ）のＸ−Ｘ線に沿う断面図。（Ｃ）は、（Ａ）の鼻緒の係止金具を固定するための固定金具の詳細を示す斜視図。
【図９】（Ａ）および（Ｂ）は図７の鼻緒付履物において鼻緒の取り付け手順を示す斜視図。
【図１０】（Ａ）は本考案の第四の実施の形態を示す分解斜視図、（Ｂ）は本考案の第五の実施の形態を示す分解斜視図。
【図１１】本考案の第六の実施の形態を示す分解斜視図。
【符号の説明】
【００３８】
１Ａ，１Ｂ，１Ｃ，１Ｄ，１Ｅ，１Ｆ  鼻緒付履物、２Ａ，２Ｂ，２Ｃ，２Ｄ  基台、２ａ，２ｂ，２ｃ，２ｄ，２ｅ，２ｆ，２ｇ，２ｈ，２ｉ，２ｊ，２ｋ，２ｌ  取付け孔、３Ａ，３Ｂ，３Ｃ  鼻緒、４Ａ，４Ｂ，５Ａ，５Ｂ，６，７  固定金具、１１  鼻緒本体、１２  前緒、１４ａ，１４ｂ，１４ｃ，１４ｄ  係止紐、１６ａ，１６ｂ，１６ｃ  係止金具、２４ａ，２４ｂ，２５ａ，２５ｂ  固定金具室、３０  面状ファスナ、４０，６０，７０  基部、４１Ａ，４１Ｂ，５１ａ，５１ｂ，５１ｃ，５１ｄ，６１，７１ａ，７１ｂ  係止部、８０  締結バンド
【図１】
0003109268.tif 000003
【図２】
0003109268.tif 000004
【図３】
0003109268.tif 000005
【図４】
0003109268.tif 000006
【図５】
0003109268.tif 000007
【図６】
0003109268.tif 000008
【図７】
0003109268.tif 000009
【図８】
0003109268.tif 000010
【図９】
0003109268.tif 000011
【図１０】
0003109268.tif 000012
【図１１】
0003109268.tif 000013